(57)【特許請求の範囲】
【請求項１】
画像信号に基づいて被画像形成媒体に画像を出力する画像形成装置であって、
各種処理動作を説明するための複数の画像を記憶した記憶手段と、
この記憶手段に記憶された画像を表示部を介して順次表示する表示手段と、
上記表示部を介して順次表示される画像を表示中の画像の１つ前の画像や次に表示されるべき画像に切り換えるための切換キーと、を有し、
完了した処理動作に関連する画像を上記記憶手段から削除し、上記切換キーにより画像の切り換えが指示されたとき、上記削除した画像をスキップして表示することを特徴とする画像形成装置。
【請求項２】
上記記憶手段に記憶された各画像に対応した各処理動作の完了を検知する検知手段をさらに有し、
上記表示手段は、上記検知手段による検知結果に従って上記表示部を介して表示する画像を切り換えることを特徴とする請求項１に記載の画像形成装置。
【請求項３】
上記表示部を介して画像を表示する時間を計測する計測手段をさらに有し、
上記表示手段は、上記計測手段にて計測した一定時間毎に画像を切り換えることを特徴とする請求項１に記載の画像形成装置。
【請求項４】
上記表示手段は、上記記憶手段に記憶された所定数の画像を上記表示部を介して同時に表示するとともに、表示した所定数の画像から少なくとも１つの画像を拡大して表示することを特徴とする請求項１に記載の画像形成装置。
【請求項５】
画像信号に基づいて被画像形成媒体に画像を出力する画像形成装置であって、
各種処理動作を説明するための複数の画像を記憶した第１記憶手段と、
発生したイベントの処理動作に関連した画像を上記第１記憶手段に記憶されている画像から選択して記憶する第２記憶手段と、
この第２記憶手段に記憶した画像を表示部を介して順次表示する表示手段と、
上記表示部を介して順次表示される画像を表示中の画像の１つ前の画像や次に表示されるべき画像に切り換えるための切換キーと、を有し、
完了した処理動作に関連する画像を上記第２記憶手段から削除し、上記切換キーにより画像の切り換えが指示されたとき、上記削除した画像をスキップして表示することを特徴とする画像形成装置。
【請求項６】
上記第２記憶手段に記憶された画像のうち１つ目の画像が上記表示部を介して表示されている状態で、上記切換キーにより前の画像への切り換えが指示された場合、画像の切り換えを無効とすることを特徴とする請求項５に記載の画像形成装置。
【請求項７】
上記第２記憶手段に記憶された画像のうち最後の画像が上記表示部を介して表示されている状態で、上記切換キーにより後の画像への切り換えが指示された場合、１つ目の画像に切換表示することを特徴とする請求項５に記載の画像形成装置。
【請求項８】
上記第１記憶手段に記憶された各画像に対応した各処理動作の完了を検知する検知手段をさらに有し、
この検知手段による検知結果に従って、完了した処理動作に関連する画像を上記第２記憶手段から削除し、上記切換キーにより画像の切り換えが指示されたとき、上記削除した画像をスキップして表示することを特徴とする請求項５に記載の画像形成装置。
【発明の詳細な説明】
【０００１】
【発明の属する技術分野】
この発明は、例えば、複写機等の各種ガイダンスを表示する表示装置を備えた画像形成装置に関する。
【０００２】
【従来の技術】
従来、画像形成装置として、例えば、グラフィック表示装置を備えた複写機が知られている。この種の表示装置は、液晶やＣＲＴにより形成され、通常、複写枚数、複写倍率、用紙サイズ、各種編集モード等を表示するようになっている。
【０００３】
また、この表示装置は、例えば、複写機内において用紙ジャムを生じた場合、複写機の外観を示したグラフィック画面を表示するとともに、このグラフィック画面上のジャム発生箇所を点滅させ、ジャム処理を促すように機能する。この他に、トナー補給や排トナー処理が必要な場合に、グラフィック画面を表示して各処理に対応したマークを点滅させて処理を促すようになっている。
【０００４】
【発明が解決しようとする課題】
しかしながら、従来の表示装置では、上記のように複写機内でのジャムを警告することはできるが、ジャム処理をどのように実施すれば良いかの判断はできない。このため、ジャムが発生していることが解ってもジャム処理が困難であった。
【０００５】
また、従来、上記のようにジャム発生を警告した後、コントロールパネル上のヘルプキーを押すことにより、文字によるガイダンスを表示できる表示装置を備えた複写機が知られているが、文字によるガイダンスでは複写機のどの部分をどのように操作すれば良いかが解らず、スムーズなジャム処理ができない問題がある。
【０００６】
この発明の目的は、ジャム処理、トナー補給処理、排トナー処理等の処理手順を解り易く表示でき、各処理を容易且つスムーズに実行できる表示装置を備えた画像形成装置を提供することにある。
【０００７】
【課題を解決するための手段】
上記目的を達成するため、この発明の画像形成装置は、画像信号に基づいて被画像形成媒体に画像を出力する画像形成装置であって、各種処理動作を説明するための複数の画像を記憶した記憶手段と、この記憶手段に記憶された画像を表示部を介して順次表示する表示手段と、上記表示部を介して順次表示される画像を表示中の画像の１つ前の画像や次に表示されるべき画像に切り換えるための切換キーと、を有し、完了した処理動作に関連する画像を上記記憶手段から削除し、上記切換キーにより画像の切り換えが指示されたとき、上記削除した画像をスキップして表示することを特徴とする。
【０００８】
また、この発明の画像形成装置は、画像信号に基づいて被画像形成媒体に画像を出力する画像形成装置であって、各種処理動作を説明するための複数の画像を記憶した第１記憶手段と、発生したイベントの処理動作に関連した画像を上記第１記憶手段に記憶されている画像から選択して記憶する第２記憶手段と、この第２記憶手段に記憶した画像を表示部を介して順次表示する表示手段と、上記表示部を介して順次表示される画像を表示中の画像の１つ前の画像や次に表示されるべき画像に切り換えるための切換キーと、を有し、完了した処理動作に関連する画像を上記第２記憶手段から削除し、上記切換キーにより画像の切り換えが指示されたとき、上記削除した画像をスキップして表示することを特徴とする。
【００１６】
【発明の実施の形態】
以下、図面を参照してこの発明の実施の形態について説明する。
図１に示すように、この発明の画像形成装置１００は、複写すべき原稿の画像を複写する装置本体２を有している。
【００１７】
装置本体２は、読取り手段として機能する画像読取部４と、画像形成手段として機能する画像形成部６と、を有している。
装置本体２の上部には、画像読取部４の後述する原稿載置台に向けて原稿を給送する自動原稿送り装置（以下、原稿送り装置と称する）１０が一体的に配置されている。なお、原稿送り装置１０は、後述する原稿載置台に対して開閉可能で、原稿載置台に載置された原稿Ｄを原稿載置台に密着させる原稿押さえとしても機能する。また、装置本体２の上部には、この発明の表示装置として機能するグラフィックディスプレイを備えた後述するコントロールパネルが設けられている。
【００１８】
画像読取部４は、装置本体２の上面に配設され、読取対象物すなわち原稿Ｄが載置される透明なガラスからなる原稿載置台１１と、原稿載置台１１の一端に配置され、原稿Ｄが載置されるべき位置を示すサイズ板１２と、を有している。
【００１９】
原稿載置台１１の下方すなわち装置本体２の内側には、原稿載置台１１に載置された原稿Ｄを照明する露光ランプ１３、露光ランプ１３からの光を原稿Ｄに効率よく照射させるための補助反射板１４、及び、原稿Ｄからの反射光を所定の方向に折曲げる第１ミラー１５などを含み、原稿載置台１１と平行に移動可能に形成された第一キャリッジ１６が配置されている。第１キャリッジ１６は、図示しない歯付きベルト等を介して図示しないパルスモータによって、原稿載置台１１に沿って平行に移動される。
【００２０】
原稿載置台１１の側方であって、第１ミラー１５により反射された反射光が案内される方向には、原稿載置台１１と平行に移動可能な第２のキャリッジ１７が配設されている。
【００２１】
第２のキャリッジ１７には、第１ミラー１５により案内される原稿Ｄからの反射光を順に折曲げる第２ミラー２０および第３ミラー２１が互いに直角に配置されている。第２のキャリッジ１７は、第１キャリッジ１６を駆動する歯付きベルトなどにより第１キャリッジ１６に従動されるとともに、第１キャリッジ１６に比較して１／２の速度で原稿載置台１１に沿って平行に移動される。
【００２２】
第一キャリッジ１６の下方であって、第２キャリッジ１７を介して折返された光の光軸を含む面内には、図示しない駆動機構を介して移動可能に形成され、第２キャリッジ１７からの反射光に集束性を与えるとともに、自身が移動することにより反射光を所定の倍率で結像させる結像レンズ２２、及び、相互に直角に配置され、レンズ２２により所定の倍率に対応する集束性が与えられた上記反射光の光路をさらに折り返すとともに、レンズ２２が移動されたことによる光路長すなわち原稿テーブル１１と後述する感光体ドラムとの間の距離の変動を、自身が移動することにより補正する第４ミラー２３および第５ミラー２４が配置されている。
【００２３】
画像形成部６は、装置本体２のほぼ中央に回転自在に配置された像担持体としての感光体ドラム３０を有している。感光体ドラム３０の表面には、画像読取部４の第６のミラー２５によって導かれた反射光すなわち画像情報が照射される。
【００２４】
感光体ドラム３０の周囲には、ドラム表面を所定の電荷に帯電させる帯電チャージャ３１、感光体ドラム３０の表面上に形成された静電潜像に現像剤としてのトナーを供給して所望の画像濃度で現像する現像器３２、後述する用紙カセットから給紙された被転写材すなわちコピー用紙Ｐに感光体ドラム３０に形成されたトナー像を転写するとともにトナー像が転写されたコピー用紙Ｐを感光体ドラム３０から分離させるための転写・剥離チャージャ３３、感光体ドラム３０の表面からコピー用紙Ｐを剥離する剥離爪３４、感光体ドラム３０の表面に残留したトナーを清掃する清掃装置３５、及び、感光体ドラム３０の表面に残った電位を除電する除電器３６が順に配置されている。尚、清掃装置３５は、回収した廃トナーを収容する図示しないトナーボックスを備え、トナーボックスが一杯になったことを検知する後述する廃トナーセンサを備えている。
【００２５】
現像器３２の近傍には、現像剤としてのトナーを収納しているトナーホッパ３７、及び、トナーホッパ３７から現像器３２へトナーを補給するトナー搬送オーガ３８が設けられている。また、現像器３２には、トナー濃度を検知するための後述するトナー濃度センサが設けられている。
【００２６】
装置本体２内の下部（ドラム３０より下方）には、装置本体２から引出し可能な上段カセット４１、中段カセット４２、および下段カセット４３が積層状態で配置されている。これらのカセットの側方には、大容量フィーダ４４が配置されている。
【００２７】
上段カセット４１、中段カセット４２、および下段カセット４３は、横向きに置かれたＡ４サイズ（Ａ４Ｒ）のコピー用紙、Ｂ４サイズのコピー用紙、およびＡ３サイズのコピー用紙を、それぞれ、５００枚程度収納可能に形成されている。大容量フィーダ４４は、使用頻度の高いサイズのコピー用紙、例えば、Ａ４サイズのコピー用紙を、約３０００枚収納可能に形成されている。
【００２８】
大容量フィーダ４４の上部には、各カセット４１，４２，４３および大容量フィーダ４４とは独立に、コピー用紙Ｐを給送可能な手差しフィーダ４５が形成されている。
【００２９】
手差しフィーダ４５と感光体ドラム３０（後述、タイミングローラ５８）との間には、手差しフィーダ４５に挿入されたコピー用紙Ｐを取り込む手差し用ピックアップローラ４６、ピックアップローラ４６により取り込まれたコピー用紙Ｐをガイドする手差しガイド４７、及び、手差しガイド４７を介して感光体ドラム３０に向かって案内されるコピー用紙Ｐを搬送する搬送ローラ４８が設けられている。また、搬送ローラ４８の下流側の搬送路上には、手差しジャムを検知するためのセンサ４９が配設されている。
【００３０】
各カセット４１，４２，４３および大容量フィーダ４４と感光体ドラム３０との間には、各カセット４１，４２，４３および大容量フィーダ４４から感光体ドラム３０に向かってコピー用紙Ｐを案内する搬送路５１が形成されている。この搬送路５１は、さらに、感光体ドラム３０と転写・剥離チャージャ３３との間に規定される転写領域を経て、装置本体２の外部まで延出されている。
【００３１】
転写領域を通過されたコピー用紙Ｐが進行する方向には、コピー用紙Ｐを搬送する搬送ベルト５２が組み込まれている。搬送ベルト５２によりコピー用紙Ｐが搬送される方向であって、感光体ドラム３０に対して熱を与えにくい位置には、ローラ表面が互いに圧接されたヒートローラを含み、トナー像が転写されたコピー用紙Ｐを加熱することでトナー像を溶融させつつトナー像とコピー用紙Ｐとを加圧してコピー用紙Ｐにトナー像を定着させる定着装置５３が設けられている。
【００３２】
定着装置５３は、ヒートローラの表面からコピー用紙Ｐを剥離させるための剥離爪５３１を有し、定着装置５３の外側の所定位置には、剥離爪５３１の開閉を検知するための剥離爪センサ５３ａが配設されている。
【００３３】
定着装置５３に対向した装置本体２の側壁には、定着装置５３によりトナー像が定着されたコピー用紙Ｐが排出される排出口５４および排紙トレイ５５が配置されている。尚、装置本体２の排出口５４が設けられた側壁に隣接して、オプションとしてソータが取付けられても良い。
【００３４】
上段カセット４１、中段カセット４２、下段カセット４３の近傍および大容量フィーダ４４の近傍には、それぞれカセットあるいは大容量フィーダからコピー用紙Ｐを一枚づつ取り出すピックアップローラ５６が設けられている。また、搬送路５１には、ピックアップローラ５６によりいずれかのカセットまたは大容量フィーダから取り出されたコピー用紙Ｐを、感光体ドラム３０に向かって搬送するための複数の給紙ローラ５７が設けられている。更に、各カセットおよび大容量フィーダの下流側の搬送路５１上には、取出されたコピー用紙Ｐの通過を検知するためのセンサ４１ａ、４２ａ、４３ａ、４４ａがそれぞれ配設されている。
【００３５】
搬送路５１の感光体ドラム３０の近傍・上流側には、搬送路５１を案内されたコピー用紙Ｐの傾きを補正するとともに、感光体ドラム３０上に形成されたトナー像の先端とコピー用紙Ｐの先端とを整合させ、感光体ドラム外周面の移動速度と同じ速度でコピー用紙Ｐを転写領域へ給紙するタイミングローラ５８が配設されている。また、タイミングローラ５８の手前すなわち給紙ローラ５７側には、コピー用紙Ｐの到達を検出するタイミング検知センサ５９が設けられている。
【００３６】
定着装置５３と排出口５４との間には、定着装置５３によりトナー像が定着されたコピー用紙Ｐを、後述する用紙反転部６４あるいは排出トレイ５５のいづれかに案内する排出切換ユニット６０が配置されている。
【００３７】
排出切換ユニット６０は、定着装置５３を通過されたコピー用紙Ｐを推進する第１および第２の排出ローラ６１および６２、及び、第１および第２の排出ローラ６１、６２間で、定着装置５３からのコピー用紙Ｐを排出口５４あるいは後述する用紙反転部６４に、選択的に振り分ける振り分けゲート６３が配置されている。尚、定着装置５３と第１の排出ローラ６１との間の搬送路上には、定着装置５３でのジャムを検知するためのセンサ５３ｂが配設されている。
【００３８】
感光体ドラム３０と上段カセット４１との間には、定着装置５３によりトナー像が定着されたコピー用紙Ｐを反転して再びタイミングローラ５８へ送る反転機構６４が設けられている。
【００３９】
反転機構６４は、コピー用紙Ｐを一時的に集積する一時集積部６５、定着装置５３を通過したコピー用紙Ｐを反転して一時集積部６５に導く反転路６６、一時集積部６５に集積されたコピー用紙Ｐを一枚づつ取り出すピックアップローラ６７、一時集積部６５に収容されることで表裏が裏返されたコピー用紙Ｐを再びタイミングローラ５８に案内する反転搬送路６８、及び、反転搬送路６８に案内されたコピー用紙Ｐをタイミングローラ５８に向かって給紙する給紙ローラ６９を有している。尚、給紙ローラ６９の下流側の反転搬送路６８上には、コピー用紙Ｐの通過を検知するセンサ６４ａが配設されている。
【００４０】
原稿送り装置１０は、給送すべき原稿Ｄが載置される原稿保持部１２０、原稿保持部１２０に載置された原稿Ｄを１枚ずつ取出す原稿取出し部１３０、原稿取出し部１３０を介して取出された原稿Ｄを、たとえば、複写装置本体２の原稿載置台１１の所定の位置に給送する原稿搬送部１４０、及び、画像の読取られた原稿Ｄが排出される原稿排出部１５０を含んでいる。
【００４１】
原稿保持部１２０は、後述する原稿搬送部１４０および駆動部等の回転部を覆う本体カバー１２１上に、所定枚数の原稿Ｄを保持可能に形成された原稿トレイ１２２を有している。
【００４２】
原稿取出し部１３０は、原稿トレイ１２２に原稿Ｄがセットされたことを検知するエンプテイセンサ１３１、原稿トレイ１２２に載置された原稿Ｄを装置本体の原稿載置台１１に向けて搬送するために取出すピックアップローラ１３２、ピックアップローラ１３２を介して取出された原稿Ｄを１枚に制限する分離ローラ１３３、および、ピックアップローラ１３２によって取出された原稿Ｄの傾きを修正するとともに、装置本体２の原稿載置台１１に向かって所定のタイミングで給送するアライニングローラ１３４を有している。
【００４３】
原稿搬送部１４０は、原稿載置台１１の上面を覆うとともに、原稿取出し部１３０から給送される原稿Ｄを原稿載置台１１に沿って搬送する搬送ベルト１４１を有している。原稿搬送部１４０は、既に説明した本体カバー１２１を介して利用者が手を触れることのないよう覆われている。
【００４４】
原稿排出部１５０は、原稿搬送部１４０を介して原稿載置台１１上に載置され、画像情報が読み取られた原稿Ｄがスタックされる排出原稿トレイ１５１、排出原稿トレイ１５１に向かって原稿Ｄをガイドする原稿排出路１５２、及び、原稿排出路１５２と後述する駆動部を覆う反転部カバー１５３を有している。
【００４５】
原稿排出路１５２は、画像情報が読み取られた原稿Ｄを原稿搬送部１４０から遠のく方向に搬送する搬送ローラ１５４、搬送ローラ１５４の外周面に原稿Ｄを密着させる複数のピンチローラ、及び、排出原稿トレイ１５１に向かって送出された原稿Ｄの後端を検出する後端検知センサ１５５を含んでいる。
【００４６】
ところで、上記のように構成された画像形成装置１００の前面（図１の手前側の面）には、左右に開放可能な一対のフロントカバー（図示せず）が設けられており、画像形成装置１００内部の所定位置には、各フロントカバーの開閉を検知するためのフロントカバースイッチ１６１、１６２（図２参照）が配設されている。
【００４７】
また、画像形成装置１００は、図３に示すように、定着装置５３より上方のクラムシェル１７０が上方に開放可能に形成されており、定着装置５３の上部の所定位置には、クラムシェル１７０の開閉を検知する開閉センサ１７１が配設されている。
【００４８】
更に、画像形成装置１００は、排出口５４が形成された側面に隣接してオプションとしてのソータ１８０（図４参照）を備えても良い。ソータ１８０は、画像形成装置１００排出口５４に連通される受入口１８１の近傍にコピー用紙Ｐの通過を検知するセンサ１８２を備えている。
【００４９】
以上のように構成された画像形成装置１００は、以下のように動作される。
まず、複写すべき原稿Ｄが原稿送り装置１０の原稿トレイ１２２にセットされると、エンプティセンサ１３１のオンが確認され、ピックアップローラ１３２が回転される。これにより、原稿トレイ１２２にセットされた原稿Ｄの最下部の原稿Ｄ１がピックアップローラ１３２と分離ローラ１３３との間に狭持されて取出され、アライニングローラ１３４に向かって搬送される。
【００５０】
ピックアップローラ１３２により取り出された原稿Ｄ１は、アライニングローラ１３４によって一旦整位されて停止される。そして、所定のタイミングで搬送ベルト１４１が回転されるとともにアライニングローラ１３４が回転され、整位された原稿が原稿載置台１１上の所定の読取位置へ給送される。
【００５１】
続いて、照明ランプ１３が所定の明るさで点灯され、原稿載置台１１上の原稿Ｄ１に沿って、第一キャリッジ１６が、所定の速度で移動される。そして、原稿Ｄ１からの反射光が、第一キャリッジ１６の第１ミラー１５、第二キャリッジ１７の第２ミラー２０および第３ミラー２１、結像レンズ２２、第４ミラー２３および第５ミラー２４、及び、露光ミラー２５を順に反射されて、感光体ドラム３０に案内される。
【００５２】
感光体ドラム３０に案内された原稿Ｄ１からの反射光は、感光体ドラム３０により画像情報に対応した静電潜像に変換される。感光体ドラム３０上の静電潜像は、現像装置３２により供給されるトナーによりトナー像として現像されたのち、転写・剥離チャージャ３３を介して、タイミングローラ５８まで給送されているコピー用紙Ｐに、タイミングローラ５８によりコピー用紙Ｐの先端と感光体ドラム３０上のトナー像の位置とが整合された状態で、コピー用紙Ｐに転写される。
【００５３】
トナー像が転写されたコピー用紙Ｐは、剥離爪３４および転写・剥離チャージャ３３により感光体ドラム３０から剥離され、搬送装置５２を介して定着装置５３に搬送されて、定着装置５３によりトナー像すなわちトナーが固着されて、排出トレイ５５または反転部６４に案内される。
【００５４】
トナー像をコピー用紙Ｐに引き渡した感光体ドラム３０は、清掃装置３５および除電器３６により表面に残った電荷およびトナーが除去されたのち、再び、次の画像形成に利用される。
【００５５】
図５は、装置本体２の上部に設けられたコントロールパネル２００を示している。コントロールパネル２００は、その略中央位置に液晶タッチパネルにより形成されたグラフィックディスプレイ２０１を備えている。
【００５６】
このグラフィックディスプレイ２０１は、画像形成装置１００が正常動作している場合には、複写枚数、複写倍率、用紙サイズ、各種編集モード等を表示した図５のようなレディー画面を表示するようになっており、ジャム処理、トナー補給、排トナー処理、ライフによる部材の交換等のエラーが生じた場合に、その警告を表示するとともにそれぞれの処理のための操作手順を図解してガイダンスするようになっている。尚、グラフィックディスプレイ２０１は表示したマークに触れることによりキー入力が成されるタッチパネル２０１ａを有している。
【００５７】
また、コントロールパネル２００には、警告を表示した場合に警告音を発生するためのブザー２０２が配設されている。この他に、コントロールパネル２００には、ヘルプキー２０３、濃度調節キー２０４、テンキー２０５、ズームキー２０６、コピーキー２０７等のハードキーが配設されている。
【００５８】
次に、上記のように構成されたコントロールパネル２００の制御系について、図６のブロック図を用いて説明する。
コントロールパネル２００の制御系は、制御手段として作用する制御基板２１０を有している。制御基板２１０にはマイコン２１２が配設され、マイコン２１２には、画面切換時間および高圧出力値を記憶したＲＡＭ２１３（第２記憶手段）、表示画面データおよびプログラムデータを記憶したＲＯＭ２１４（第１記憶手段）、グラフィックディスプレイ２０１を制御する液晶コントローラ２１５、および通紙枚数等をカウントして装置を構成する各部材のライフをカウントするライフカウンタ２１６が接続されている。
【００５９】
また、制御基板２１０には、液晶コントローラ２１５に接続されたグラフィックディスプレイ２０１、ブザー２０２、および各種キーやタッチパネル２０１ａを介して入力されるデータを制御基板２１０のマイコン２１２に出力する制御キーマイコン２１８を備えたコントロールパネル基板２２０が接続されている。
【００６０】
更に、制御基板２１０には、転写・剥離チャージャ３３等に高圧を出力する高圧出力基板２３１、各種紙センサ２３２、各種モータを制御するモータ制御基板２３３、給紙系の各モータおよび各紙センサ２３４ａを接続した給紙系制御基板２３４、トナー濃度を検知するトナー濃度センサ２３５、およびトナーボックスが一杯になったことを検知する廃トナーセンサ２３６が接続されている。
【００６１】
次に、上記のように構成された画像形成装置１００内部にジャムが発生した場合のジャム処理動作について説明する。
画像形成装置１００内で原稿Ｄまたはコピー用紙Ｐによるジャムが発生すると、ジャム発生を警告するための図７に示すようなグラフィック画面がコントロールパネル２００のグラフィックディスプレイ２０１（以下、単にディスプレイ２０１と称する）上に表示される。
【００６２】
つまり、装置内でジャムが生じると、各種紙センサ２３２、２３４ａからの出力に基づいてマイコン２１２がＲＯＭ２１４に記憶された図７の画面に対応する画面データを抽出し、液晶コントローラ２１５を介してディスプレイ２０１上に表示する。尚、この場合、必要に応じてブザー２０２を介して警告音が同時に発せられる。
【００６３】
ディスプレイ２０１上に表示された図７の画面では、画像形成装置１００の外観が概略的に表示されるとともに文字によるガイダンス「機械内部で紙詰まりです。」が表示され、ジャム箇所のマークが点滅表示される。これにより、装置内でジャムが発生したことがユーザーにより認識されると同時にジャム箇所が確認される。
【００６４】
また、画面上には、この他に、トナー補給、廃トナー処理、部材のライフ、サービスマンコール等のエラーに対応した表示マークが用意され、トナー濃度センサ２３５、廃トナーセンサ２３６、ライフカウンタ２１６などの出力に基づいて各マークが選択的に点滅され、各処理を促すようになっている。
【００６５】
上記のように、装置内でジャムが発生して、ジャム箇所のマークが点滅表示された図７の画面がディスプレイ２０１上に表示された状態で、ヘルプキー２０３を押すかディスプレイ２０１に触れると、例えば、図８に示すようなジャム処理のための具体的なガイダンス画面が表示される。
【００６６】
つまり、図７の画面に触れ、或いはヘルプキー２０３が入力されると、制御キーマイコン２１８によりキー入力が認識され、制御基板２１０のマイコン２１２にキー入力が通信される。マイコン２１２は、このキー入力および各種紙センサ２３２、２３４ａからの出力に応じて、ＲＯＭ２１４に記録された例えば図９乃至図１６に示すような複数のガイダンス画面に対応した画面データの中からジャム箇所に対応した所定数の画面データを抽出し、抽出した画面データをＲＡＭ２１３にロードする。この際、マイコン２１２は、各画面データに処理の順番に沿った連続番号を付与する。そして、ジャム処理の初めの動作を示すガイダンス画面データ（番号１が付与されている）がＲＡＭ２１３から読み出されて図８に示すようにディスプレイ２０１上に表示される。
【００６７】
尚、図９乃至図１６に示したグラフィック画面は、ＲＯＭ２１４に記憶されている画面データの一部を例示したに過ぎず、ＲＯＭ２１４にはこの他にも多くの画面データが記憶されている。例えば、ＲＯＭ２１４には、予め、トナー補給処理や廃トナー処理などに係る画面データが記憶されている。また、各ガイダンス画面の上部には、各画面の説明、処理の方法等の文字によるメッセージが同時に表示される。
【００６８】
このように、１枚目のガイダンス画面がディスプレイ２０１上に表示された後、ジャム処理の進行に応じて、或いは時間経過に従って、ガイダンス画面がディスプレイ２０１上で順次切換えられ、切換えられたガイダンス画面に従ってユーザーによるジャム処理が順次実行される。尚、ユーザーは、ガイダンス画面の下方に表示された“ＰＲＥ”または“ＮＥＸＴ”キーに触れることにより、前の画面或いは後の画面に表示を任意に切換えることができる。
【００６９】
次に、画像形成装置１００の定着装置５３およびタイミングローラ５８付近でコピー用紙Ｐのジャムが発生した場合を例にとって、ジャム処理動作の具体例について説明する。
【００７０】
定着装置５３付近のジャムはセンサ５３ｂによって検知され、タイミングローラ５８付近のジャムはタイミング検知センサ５９によって検知される。そして、マイコン２１２は、センサ５３ｂおよび／或いはセンサ５９を介してコピー用紙Ｐのジャムを検知すると、液晶コントローラ２１５を介してディスプレイ２０１上に図７のグラフィック画面を表示する。この場合、マイコン２１２は、グラフィック画面上の表示マークＡを点滅し、ユーザーに対して定着装置５３および／或いはタイミングローラ５８付近でのジャム発生を知らせる。
【００７１】
この状態で、ヘルプキー２０３を押すかディスプレイ２０１に触れると、ＲＯＭ２１４に記憶された複数のガイダンス画面データの中から上記ジャムの発生箇所（定着装置５３およびタイミングローラ５８付近）に対応したガイダンス画面データＳ０１７〜Ｓ０２５（図９乃至図１１参照）が選択され、選択された各画面データに連続番号（Ｎ＝１〜８）が付与されて各画面データに対応するメッセージとともにＲＡＭ２１３にロードされる。同時に、１つめの画面Ｓ０１７が対応するメッセージ“ドア上部を持って、フロントカバーを開けて下さい。”とともにＲＡＭ２１３から読み出されてディスプレイ２０１上に表示される。
【００７２】
ＲＡＭ２１３にロードされたグラフィック画面Ｓ０１７〜Ｓ０２５はジャム処理が進むにつれて順次切換えられて表示されるが、グラフィック画面Ｓ０１７〜Ｓ０２５の切換方法には例えば以下の３通りの方法がある。
１つめの切換方法では、一定時間毎にグラフィック画面を順次切換える。つまり、１つめの画面Ｓ０１７が表示されると、ＲＡＭ２１３に予め記録されている時間に相当するデータがＲＯＭ２１４のプログラムデータによって読取られ、読取られたデータ分の時間（ここでは１０秒）がマイコン２１２のカウンタによりカウントされ、カウント終了と同時にディスプレイ２０１上の画面が２つめの画面Ｓ０１８に切換えられる。同様に、３つめの画面Ｓ０１９以降の画面Ｓ０１９〜Ｓ０２５が１０秒毎に順次切換えられる。
【００７３】
尚、ＲＡＭ２１３に登録されている時間に相当するデータは、例えば図１７に示すような調整モードで、コントロールパネル２００のテンキー２０５を介して入力され、入力されたデータがＲＯＭ２１４のデータによってＲＡＭ２１３に書き換えられる。これにより、各画面の切換時間を変更することができる。
【００７４】
また、２つめの切換方法では、各グラフィック画面上に表示された“ＰＲＥ”または“ＮＥＸＴ”に触れることにより、表示中の画面の１つ前の画面或いは次の画面に切換える。例えば、１つめのグラフィック画面Ｓ０１７が表示された状態で画面Ｓ０１７の“ＮＥＸＴ”に触れることにより、２つめのグラフィック画面Ｓ０１８が表示されると同時に“機体上部を押し下げながら、開閉レバーを引き上げてロックを外して下さい。”というメッセージが表示される。尚、１つめのグラフィック画面Ｓ０１７が表示された状態で画面Ｓ０１７の“ＰＲＥ”に触れても画面が切換わることはない。
【００７５】
また、グラフィック画面上の“ＮＥＸＴ”を押していくことにより３つめ以降の画面Ｓ０１９〜Ｓ０２５（およびメッセージ）を順次表示できる。尚、９つめの画面Ｓ０２５が表示された状態で“ＮＥＸＴ”を押すと、１つめの画面Ｓ０１７に戻される。また、各画面上の“ＰＲＥ”を押すことにより、Ｓ０２５→Ｓ０２４のように画面を戻して１つ前の画面を表示することができる。
【００７６】
ユーザーは、通常、グラフィック画面を順方向に切換えながらジャム処理を進めるが、例えば、全ての画面（画面Ｓ０１７からＳ０２５まで）を見た後に画面Ｓ０２２およびＳ０２３に対応する処理（定着装置５３付近のジャム処理）のみを実行する場合がある。この場合、画面Ｓ０２０またはＳ０２１に対応する処理（タイミングローラ５８付近のジャム処理）をするためにＳ０２５からＳ０１９まで画面を戻すことがある。この場合、再表示の必要のない処理済みの画面Ｓ０２２およびＳ０２３はスキップされ、Ｓ０２５→Ｓ０２４→Ｓ０２１→Ｓ０２０→Ｓ０１９の順に画面が表示される。反対に、Ｓ０１９から順方向に画面を進める場合であっても、処理済みの画面Ｓ０２２およびＳ０２３はスキップされ、Ｓ０１９→Ｓ０２０→Ｓ０２１→Ｓ０２４→Ｓ０２５の順に画面が表示される。
【００７７】
上記のように画面Ｓ０２２およびＳ０２３に対応するジャムが処理されたか否かの判断は、定着装置５３の下流側に設けられたセンサ５３ｂによって成される。つまり、定着装置５３付近にコピー用紙Ｐのジャムが生じている場合、センサ５３ｂはオンされ、ジャムが解除された場合、センサ５３ｂはオフにされる。
【００７８】
従って、上記のように定着装置５３でのジャムが解除されてセンサ５３ｂがオフにされると、その時点でＲＡＭ２１３にロードされた画面Ｓ０２２およびＳ０２３がＲＡＭ２１３から削除され、以降、画面上の“ＰＲＥ”または“ＮＥＸＴ”によって画面を順次見る場合、これらの画面Ｓ０２２およびＳ０２３がスキップされる。
【００７９】
更に、３つめの切換方法では、ジャム処理を進めるに従ってオン・オフされる各機構のスイッチやセンサからの出力に応じて画面を切換える。
まず、ユーザーがディスプレイ２０１上に表示された画面Ｓ０１７に従って画像形成装置１００のフロントカバーを開くと、フロントカバーの開閉を検知するフロントカバースイッチ１６１および１６２（図２参照）がオフにされる。マイコン２１２は、このフロントカバースイッチ１６１、１６２の出力に基づいて１つめの画面Ｓ０１７に対応した処理が終了されたことを判断し、液晶コントローラ２１５を介してディスプレイ２０１上に２つめの画面Ｓ０１８を表示する。
【００８０】
次に、画面Ｓ０１８に従って画像形成装置１００のクラムシェル１７０のロックを解除すると画面がＳ０１９に切換わり、画面Ｓ０１９に従ってクラムシェル１７０を開くと、クラムシェル１７０の開閉を検知する開閉センサ１７１がオフにされる。これにより、マイコン２１２は、３つめの画面Ｓ０１９に対応した処理が終了されたことを判断し、液晶コントローラ２１５を介してディスプレイ２０１上に４つめの画面Ｓ０２０或いはＳ０２１を表示する。つまり、手差しによる給紙モードが選択されている場合には４つめの画面としてＳ０２１を表示する。
【００８１】
４つめの画面Ｓ０２０或いはＳ０２１に従ってタイミングローラ５８付近のジャム紙が除去されると、タイミング検知センサ５９がオフにされる。これにより、マイコン２１２は、４つめの画面Ｓ０２０或いはＳ０２１に対応した処理、即ちタイミングローラ５８付近でのジャム処理が終了されたことを判断し、他の箇所にジャムが発生していないかどうかを判断する。
【００８２】
定着装置５３付近においてもジャムが発生している場合、マイコン２１２は、タイミング検知センサ５９のオフにより液晶コントローラ２１５を介してディスプレイ２０１上に５つめの画面Ｓ０２２を表示する。一方、他の箇所でジャムが発生していないことが判断された場合には、画面Ｓ０２４およびＳ０２５が順に表示され、表示に従って処理がなされてジャム処理が終了される。
【００８３】
５つめの画面Ｓ０２２に従って定着装置５３の剥離爪５３１を開けると、剥離爪５３１の開閉を検知する剥離爪センサ５３ａによって剥離爪が開かれたことが検知される。これにより、マイコン２１２は、５つめの画面Ｓ０２２に対応した処理が終了されたことを判断し、液晶コントローラ２１５を介してディスプレイ２０１上に６つめの画面Ｓ０２３を表示する。
【００８４】
６つめの画面Ｓ０２３に従って定着装置５３付近のジャム紙が除去されると、定着装置５３のジャムを検知するセンサ５３ｂがオフにされる。これにより、マイコン２１２は、６つめの画面Ｓ０２３に対応した処理が終了されたことを判断し、液晶コントローラ２１５を介してディスプレイ２０１上に７つめの画面Ｓ０２４を表示する。
【００８５】
７つめの画面Ｓ０２４に従って画像形成装置１００のクラムシェル１７０が閉められると、開閉センサ１７１がオンにされ８つめの画面Ｓ０２５に切換えられる。そして、８つめの画面Ｓ０２５に従って装置のフロントカバーが閉じられて、フロントカバースイッチ１６１、１６２がオンされ、ＲＡＭ２１３にロードした全ての画面に対応したジャム処理が終了されると、ディスプレイ２０１が図５に示すレディー画面に戻されて、一連のジャム処理動作が終了される。
【００８６】
以上、画像形成装置１００の定着装置５３および／或いはタイミングローラ５８付近でのジャム処理動作について説明したが、他の箇所でジャムを生じた場合であっても同様に処理できる。
【００８７】
例えば、装置内でジャムが発生し、図７に示す画面上でマークＢが点滅された場合、ＲＯＭ２１４に記憶された画面データＳ０２６〜Ｓ０２９がＲＡＭ２１３にロードされ、各画面がディスプレイ２０１を介して順次表示される。この場合、センサ４１ａ、４２ａ、４３ａの出力に従って、各画面に対応した処理がなされたか否かが判断され、各画面の切換えおよび画面の削除、即ち画面のスキップが成される。
【００８８】
また、マークＣが点滅された場合、画面データＳ０３０〜Ｓ０３５がロードされ、センサ６４ａの出力に従って画面の切換えおよびスキップが成され、マークＤが点滅された場合、画面データＳ０３６〜Ｓ０３７がロードされ、タイミング検知センサ５９および４４ａの出力に従って画面の切換えおよびスキップが成され、マークＥが点滅された場合、画面データＳ０３８がロードされ、センサ４９の出力に従って画面の切換えおよびスキップが成され、マークＦが点滅された場合、画面データＳ０３９〜Ｓ０４０がロードされ、エンプティーセンサ１３１の出力に従って画面の切換えおよびスキップが成され、マークＧが点滅された場合、画面データＳ０４１〜Ｓ０４３がロードされ、後端検知センサ１５５の出力に従って画面の切換えおよびスキップが成され、マークＨが点滅された場合、画面データＳ０４４〜Ｓ０４９がロードされ、センサ１８２の出力に従って画面の切換えおよびスキップが成される。
【００８９】
次に、ディスプレイ２０１上に複数の画面を同時に表示する場合について説明する。上述した表示方法では、ディスプレイ２０１上にある１つの画面を表示して画面を順次切換えることにより各処理を行ったが、図７のガイダンス画面が表示された状態でヘルプキー２０３を続けて２回押すことにより、例えば図１８に示すように、所定数（４つ）の画面をディスプレイ２０１上に同時に表示することもできる。
【００９０】
そして、図１８に示すように、４つの画面をディスプレイ２０１上に表示した状態で、任意の１つの画面に触れることにより、その画面を図８に示すように拡大して表示する。尚、この状態で、ディスプレイ２０１上の“ＰＲＥ”を押すと、図１８の４つの画面に戻される。
【００９１】
また、４つの画面を表示した状態で、画面上の“ＮＥＸＴ”を押すことにより、次の４つの画面を表示できる。更に、上述のように１つの画面を選択的に表示させた状態で画面上の“ＮＥＸＴ”を押すことにより更に詳細な動作説明を示す画面を表示できるようにしても良い。
【００９２】
以上のように、本実施の形態の画像形成装置によると、例えば、装置内でジャムが発生した場合、ディスプレイ２０１を介してジャムの発生を警告するとともにジャム発生箇所を表示でき、その上、ジャム発生箇所に対応した処理動作を説明したガイダンス画面をディスプレイ２０１上に順次表示できる。このため、ユーザーは、ディスプレイ２０１上の表示を見ながらジャム処理ができ、ジャム処理を容易且つ確実に実行できる。
【００９３】
【発明の効果】
以上説明したように、この発明の画像形成装置は、上記のような構成および作用を有しているので、ジャム処理、トナー補給処理、排トナー処理等の処理手順を解り易く表示でき、各処理を容易且つスムーズに実行できる。
【図面の簡単な説明】
【図１】この発明の実施の形態に係る画像形成装置を示す概略図。
【図２】図１の画像形成装置のフロントカバーを開いた状態を示す概略図。
【図３】図１の画像形成装置のクラムシェルを開いた状態を示す概略図。
【図４】図１の画像形成装置のオプションとしてのソータを示す概略図。
【図５】図１の画像形成装置に組込まれたコントロールパネルを示す平面図。
【図６】図５のコントロールパネルを制御する制御系のブロック図。
【図７】図５のコントロールパネルのグラフィックディスプレイ上に表示されたジャム発生画面を示す図。
【図８】図５のコントロールパネルのグラフィックディスプレイ上に表示されたジャム処理画面の一例を示す図。
【図９】ジャム処理動作に沿ったガイダンスを表示したグラフィック画面を示す図。
【図１０】ジャム処理動作に沿ったガイダンスを表示したグラフィック画面を示す図。
【図１１】ジャム処理動作に沿ったガイダンスを表示したグラフィック画面を示す図。
【図１２】ジャム処理動作に沿ったガイダンスを表示したグラフィック画面を示す図。
【図１３】ジャム処理動作に沿ったガイダンスを表示したグラフィック画面を示す図。
【図１４】ジャム処理動作に沿ったガイダンスを表示したグラフィック画面を示す図。
【図１５】ジャム処理動作に沿ったガイダンスを表示したグラフィック画面を示す図。
【図１６】ジャム処理動作に沿ったガイダンスを表示したグラフィック画面を示す図。
【図１７】図６のＲＡＭに登録されたデータを書換える方法を説明するための図。
【図１８】図５のコントロールパネルのグラフィックディスプレイ上に４つのガイダンス画面を表示した図。
【符号の説明】
２…装置本体、
４…画像読取部、
６…画像形成部、
１０…自動原稿送り装置、
１１…原稿載置台、
３０…感光体ドラム、
５３…定着装置、
５３ｂ…センサ、
５８…タイミングローラ、
５９…タイミング検知センサ、
１００…画像形成装置、
２００…コントロールパネル、
２０１…グラフィックディスプレイ、
２０３…ヘルプキー、
２１２…マイコン、
２１３…ＲＡＭ、
２１４…ＲＯＭ、
２１５…液晶コントローラ、
Ｄ…原稿、
Ｐ…コピー用紙。
【図１】
0003691602.tif 000002
【図２】
0003691602.tif 000003
【図３】
0003691602.tif 000004
【図４】
0003691602.tif 000005
【図５】
0003691602.tif 000006
【図６】
0003691602.tif 000007
【図７】
0003691602.tif 000008
【図８】
0003691602.tif 000009
【図９】
0003691602.tif 000010
【図１０】
0003691602.tif 000011
【図１１】
0003691602.tif 000012
【図１２】
0003691602.tif 000013
【図１３】
0003691602.tif 000014
【図１４】
0003691602.tif 000015
【図１５】
0003691602.tif 000016
【図１６】
0003691602.tif 000017
【図１７】
0003691602.tif 000018
【図１８】
0003691602.tif 000019